(57)【要約】【課題】  被呼先がどこであっても、常に音量の安定したコールプログレストーンが発呼者の耳に届くようにした電話機を提供する。【解決手段】  構内ＩＰ電話システム３０の中のＶｏＩＰ電話機３３ａは、インターネット網１０や公衆回線網２０を通じて外部のＶｏＩＰ電話機１３や加入者電話機２１ａ、２１ｂ、２１ｃに接続される。ＶｏＩＰ電話機３３ａより発呼すると、被呼側の電話機の状態に応じて送信側交換機又は着信側交換機よりビジートーン又はリングバックトーンが送出される。これらのコールプログレストーンを受け取ったＶｏＩＰ電話機３３ａでは、制御回路３４が音量を調整したうえでスピーカ３６を鳴動させ、一定音量の報知音を発生させる。【選択図】        図１
2007074107.tif 000002
【特許請求の範囲】
【請求項１】
外部よりコールプログレストーンが到来したとき、制御回路を介して常に所定音量レベルの報知音が使用者の耳に届くようにしたことを特徴とする電話機。
【請求項２】
前記報知音は、前記コールプログレストーンを音量調整したものであることを特徴とする請求項１に記載の電話機。
【請求項３】
前記報知音は、前記コールプログレストーンの到来を受けて内部で生成したものであることを特徴とする請求項１に記載の電話機。
【請求項４】
外部より到来する外部コールプログレストーンが到来しないがコールプログレストーンを出力する必要があるときに出力される内部コールプログレストーンを記憶する第１の記憶手段と、前記内部コールプログレストーンが出力される音量レベルを記憶する第２の記憶手段を備えた電話機において、
前記外部コールプログレストーンが到来したとき、外部コールプログレストーンを前記第２の記憶手段に記憶される音量レベルで出力する制御回路を備えたことを特徴とする電話機。
【請求項５】
外部より到来する外部コールプログレストーンが到来しないがコールプログレストーンを出力する必要があるときに出力される内部コールプログレストーンを記憶する第１の記憶手段と、前記内部コールプログレストーンが出力される音量レベルを記憶する第２の記憶手段を有する電話機において、
外部コールプログレストーンが到来したとき、外部コールプログレストーンでなく、前記内部コールプログレストーンを出力する制御回路を備えたことを特徴とする電話機。
【発明の詳細な説明】
【技術分野】
【０００１】
本発明は電話機に関する。
【背景技術】
【０００２】
電話機より発呼を行うと、被呼者側の電話機の状態を知らせるコールプログレストーン（call progress tone）が発呼者の耳に届く。コールプログレストーンは被呼者が話し中であることを知らせるビジートーン（busy tone）であったり、回線交換作業が終了し、被呼者を呼び出し中であることを知らせるリングバックトーン（ringing back tone）であったりする。ビジートーンは発信側交換機が送出し、リングバックトーンは着信側交換機が送出する。
【０００３】
コールプログレストーンは、従来のPSTN 電話では、着信側の交換機が発生した各トーンを通話路経由で電話機のスピーカから再生する仕組みとなっている。これに対して、例えばSIP 電話機などでは、接続先や電話機の仕様によって動作が統一されていないために、PSTN 電話と同様に網側（ネットワーク側）から受信したトーンを音声として再生する場合と、電話機が自らの音源を使用してローカルで生成したトーンを鳴動する場合の、2 種類の方式が混在している。
【０００４】
後者の例として、特許文献１には、交換機から直接リングバックトーンを送出するのでなく、電話機がコール設定要求に対する応答メッセージにリングバックトーンを挿入してコール設定を要求した電話機に伝送し、電話機自身にリングバックトーンを発生させるようにした電話システムが記載されている。
【特許文献１】特開２００４−１３５３２９号公報（第９頁−第１０頁、図２）
【発明の開示】
【発明が解決しようとする課題】
【０００５】
電話機において、受話内容の出力経路（音声に変換する部分）はハンドセットであったり、本体スピーカであったり、ヘッドセットであったりする。それらの音量は使用者が設定できることとされているが、最小音量が設定されたとしても音が聞き取れるように、また最大音量が設定されたとしても音割れや音の歪みが発生したり、使用者が耳を傷めたりしないように配慮して設計がなされる。
【０００６】
しかしながら、交換機やサーバ等の外部装置が生成し送出したコールプログレストーンを回線経由で音声として受信し、鳴動を行う場合、コールプログレストーンの音源が網側の外部装置にある場合と自電話機内部にある場合が混在しており、接続先によって入力レベルが異なるため、音量にばらつきが生じる。特許文献１に記載された電話機のようにリングバックトーンをデータとして受信し、音を再生する機能を有するものであっても、接続先によっては外部から音声として受信したリングバックトーンを鳴動させざるを得ないが、どちらの鳴動方式であるかによって音量が随分異なってくる。このように同種類のトーンでありながら被呼先によって音量が異なるというのは聞きやすいものではないうえ、発呼者が混乱する原因にもなる。
【０００７】
本発明は上記の点に鑑みなされたものであり、被呼先がどこであっても、常に音量の安定したコールプログレストーンが発呼者の耳に届くようにした電話機を提供することを目的とする。
【課題を解決するための手段】
【０００８】
（１）上記目的を達成するために本発明の電話機は、外部よりコールプログレストーンが到来したとき、制御回路を介して常に所定音量レベルの報知音が使用者の耳に届くようにしたことを特徴としている。
【０００９】
この構成によると、コールプログレストーンは常に制御回路により所定音量の報知音に調整されるから、発呼者がトーンの音量のばらつきにとまどうことのない、使いやすい電話機とすることができる。
【００１０】
（２）また本発明は、上記構成の電話機において、前記報知音は、前記コールプログレストーンを音量調整したものであることを特徴としている。
【００１１】
この構成によると、外部からのコールプログレストーンを音色はそのままで、音量だけ聞きやすいものにして発呼者に聞かせることができる。
【００１２】
（３）また本発明は、上記構成の電話機において、前記報知音は、前記コールプログレストーンの到来を受けて内部で生成したものであることを特徴としている。
【００１３】
この構成によると、音質の良い内部生成のコールプログレストーンを発呼者に聞かせることができる。
【発明の効果】
【００１４】
本発明によると、被呼先がどこであっても発呼者に聞こえるコールプログレストーンは常に音量が一定したものになり、コールプログレストーンの音量のばらつきで発呼者が混乱するようなことがない。
【発明を実施するための最良の形態】
【００１５】
以下、本発明の一実施形態を図に基づき説明する。図１は電話システムの概略構成図である。
【００１６】
図１にはＶｏＩＰ（voice over Internet protocol）サービスが利用可能な電話システム１が示されている。通信事業者が展開しているのは企業向けのＩＰ電話サービスであるＩＰセントレックス（IP centrex）である。通信網としてはインターネット網１０と公衆回線網２０が存在する。
【００１７】
インターネット網１０には通信業者の保有するセントレックスサーバ１１がルータ１２を介して接続されている。インターネット網１０にはこの他、構内ＩＰ電話システム３０がルータ３１を介して接続され、また構内ＩＰ電話システム３０に属さないＶｏＩＰ電話機１３がルータ１４を介して接続されている。
【００１８】
公衆回線網２０には加入者電話機（通常の電話機）が接続されている。加入者電話機としては、構内ＩＰ電話システム３０と同一市外局番地域にある加入者電話機２１ａと、異なる市外局番地域にある加入者電話機２１ｂ、２１ｃが例示されている。これらの加入者電話機とインターネット網１０との間にはルータ１５ａ、１５ｂ、１５ｃとセントレックスゲートウェイ１６ａ、１６ｂ、１６ｃを経由する通信経路が形成されている。
【００１９】
セントレックスサーバ１１は交換機の機能を果たすものであり、ＩＰパケットで送信される発呼要求の信号を受信すると、被呼側の電話機、すなわちインターネット網１０に接続されたＶｏＩＰ電話機や、公衆回線網２０に接続された加入者電話機に対し発呼信号を送信する。被呼側が加入者電話機である場合、セントレックスサーバ１１は最適な経路となるセントレックスゲートウェイを選択する。
【００２０】
構内ＩＰ電話システム３０においては、ルータ３１にＬＡＮゲートウェイ３２とＶｏＩＰ電話機３３ａ、３３ｂ、３３ｃ、・・・が接続されている。ＬＡＮゲートウェイ３２は、構内ＩＰ電話システム３０と同一市外局番である地域の電話局に、インターネット網１０を介することなく直接接続されている。従って構内ＩＰ電話システム３０の中のＶｏＩＰ電話機の通話先が同一市外局番地域内の加入者電話機であれば、その地域内の公衆回線網を通じて直接音声データとＩＰパケットの交換が行われることになる。
【００２１】
ＶｏＩＰ電話機３３ａは、全体制御を司る制御回路３４に、マイクロフォンや各種キーにより構成される入力部３５と、受信内容や各種トーンを現実の音とするスピーカ３６と、通話や設定などに係る視覚表示を行う表示部３７と、制御回路３４の動作に必要な情報を記憶するメモリ３８を付属させた構造である。他のＶｏＩＰ電話機も同じ構造で、端末を特定する番号が異なるのみである。
電話システム１は次のように動作する。ＶｏＩＰ電話機３３ａより発呼要求の信号がＩＰパケットで送信されると、それを受信したセントレックスサーバ１１は、被呼先に応じて最適な通信経路を選択し、被呼先が例えば加入者電話機であれば、その加入者電話機に発呼信号を送信する。被呼者が話し中であればセントレックスサーバ１１よりＶｏＩＰ電話機３３ａに話し中であることを通知する信号が送信される。被呼側の電話機への接続が完了し、呼び出し中という局面では着信側交換機よりＶｏＩＰ電話機３３ａに呼び出し中であることを通知する信号が送信される。
【００２２】
このような状態通知の信号を受け取ったＶｏＩＰ電話機３３ａは、ＶｏＩＰ電話機３３ａの内部で生成したコールプログレストーンを報知音として鳴動する。このとき、制御回路３４はそれに対応する報知音のデータをメモリ３８から読み出す。そのデータに基づきスピーカ３６を鳴動させ、一定音量の報知音を発生させる。
【００２３】
また、電話システム１は次のように動作する場合もある。被呼者が話し中であればセントレックスサーバ１１よりＶｏＩＰ電話機３３ａにビジートーンが送出される。被呼側の電話機への接続が完了し、呼び出し中という局面では着信側交換機よりＶｏＩＰ電話機３３ａにリングバックトーンが送出される。
【００２４】
ビジートーンやリングバックトーンなどのコールプログレストーンを受け取ったＶｏＩＰ電話機３３ａは、音量データをメモリ３８から読み出し、制御回路３４でコールプログレストーンの音量を調整したうえでスピーカ３６を鳴動させ、一定音量の報知音を発生させる。これにより、発呼者の耳には常に所定音量レベルの報知音が届くことになり、トーンの音量のばらつきにとまどうことはない。
【００２５】
音量調整したコールプログレストーンをそのまま鳴動させるのでなく、ＶｏＩＰ電話機３３ａの内部で生成した音を報知音として鳴動させることもできる。すなわちコールプログレストーンの到来を受け、制御回路３４はそれに対応する報知音のデータをメモリ３８から読み出す。そのデータに基づきスピーカ３６を鳴動させ、一定音量の報知音を発生させる。一般的に、外部から到来したコールプログレストーンの音質よりも内部で生成したトーンの方が音質が良いので、発呼者の耳には音質の良いコールプログレストーンが届くことになる。
【００２６】
以上、本発明の実施形態につき説明したが、本発明の範囲はこれに限定されるものではなく、発明の主旨を逸脱しない範囲で種々の変更を加えて実施することができる。
【産業上の利用可能性】
【００２７】
本発明は、電話機一般に広く利用可能である。
【図面の簡単な説明】
【００２８】
【図１】電話システムの概略構成図
【符号の説明】
【００２９】
１    電話システム
１０  インターネット網
２０  公衆回線網
２１ａ、２１ｂ、２１ｃ  加入者電話機
３０  構内ＩＰ電話システム
３３ａ、３３ｂ、３３ｃ  ＶｏＩＰ電話機
３４  制御回路
３６  スピーカ
【図１】
2007074107.tif 000003